(57)【要約】【課題】かみそりヘッドが浮動可能に支持してある電気かみそりに比べて、かみそりヘッドの本体ケースに対する変位の自由度をさらに向上して、より好適なひげ切断を行えるようにする。【解決手段】本体ケース１の上部に設けたかみそりヘッド２は、両者１・２間に設けたヘッド支持構造で支持する。ヘッド支持構造は、かみそりヘッド２を浮動自在に支持する浮動構造３４と、浮動構造３４と本体ケース１との間に設けた旋回構造３３とを含む。旋回構造３３は、かみそりヘッド２を縦軸まわりに旋回変位可能に支持しており、旋回変位したかみそりヘッド２を旋回待機位置へ復帰操作する戻しばね３７を備えている。【選択図】図１
2006255336.tif 000002
【特許請求の範囲】
【請求項１】
本体ケース（１）の上部にかみそりヘッド（２）が設けられており、
かみそりヘッド（２）が、本体ケース（１）とかみそりヘッド（２）との間に設けた旋回構造（３３）で縦軸まわりに旋回変位可能に支持されていることを特徴とする電気かみそり。
【請求項２】
本体ケース（１）とかみそりヘッド（２）との間に、旋回構造（３３）を含むヘッド支持構造が設けられており、
旋回構造（３３）が、旋回変位したかみそりヘッド（２）を旋回待機位置へ復帰操作する戻しばね（３７）を含んでいる請求項１記載の電気かみそり。
【請求項３】
ヘッド支持構造が、旋回構造（３３）と、かみそりヘッド（２）を浮動可能に支持する浮動構造（３４）とで構成されている請求項２記載の電気かみそり。
【請求項４】
かみそりヘッド（２）が、浮動構造（３４）で前後方向、左右方向、上下方向のうち、少なくとも左右方向へ傾動可能に支持されている請求項３記載の電気かみそり。
【請求項５】
かみそりヘッド（２）とヘッド支持構造との間に、かみそりヘッド（２）を浮動自在に支持する浮動構造（３４）が設けられており、
浮動構造（３４）と本体ケース（１）との間に、旋回構造（３３）が設けてある請求項３または４記載の電気かみそり。
【請求項６】
本体ケース（１）側に形成される区室（１０）と旋回構造（３３）との間に、旋回変位したかみそりヘッド（２）を旋回待機位置へ復帰操作する戻しばね（３７）が配置してある請求項２〜５のいずれかに記載の電気かみそり。
【請求項７】
旋回構造（３３）に、かみそりヘッド（２）を所定の旋回角度ごとに位置保持する節動機構（５９）が設けてある請求項１記載の電気かみそり。
【請求項８】
節動機構（５９）が、かみそりヘッド（２）を所定の旋回角度ごとに位置保持するばね（６１）と、かみそりヘッド（２）が旋回変位するとき、ばね（６１）を変形操作する節動体（６２）とを含み、
かみそりヘッド（２）が所定の旋回角度の２分の１だけ旋回変位した状態において、節動体（６２）とばね（６１）のデッドポイントとが外接しており、
節動体（６２）とばね（６１）との外接位置がデッドポイントから外れた状態において、節動体（６２）とばね（６１）とが旋回方向の前後いずれかへ相対変位操作される請求項７記載の電気かみそり。
【請求項９】
旋回構造（３３）が、本体ケース（１）側に形成される区室（１０）に設けた旋回軸（３６）と、旋回軸（３６）で回転自在に支持される旋回台（３５）と、旋回台（３５）と区室（１０）との間に掛け止めた引張りコイル形の戻しばね（３７）とを含み、
旋回台（３５）の上部に浮動構造（３４）が組み付けられ、浮動構造（３４）でかみそりヘッド（２）が左右傾動自在に浮動支持されている請求項６記載の電気かみそり。
【発明の詳細な説明】
【技術分野】
【０００１】
本発明は、かみそりヘッドを本体ケースに対して自在に変位させながらひげ切断を行える電気かみそりに関する。
【背景技術】
【０００２】
電気かみそりにおいて、かみそりヘッドを本体ケースで浮動可能に支持することは、例えば特許文献１に公知である。そこでは、かみそりヘッドを前後、左右、上下と、斜めの全方位方向へ浮動可能に支持できるうえ、かみそりヘッドを前後方向へ首振り変位させて、ひげ切断面の姿勢の自由度を増すことができる。
【０００３】
【特許文献１】特開２００４−２４２７６９号公報（段落番号００３９、図５）
【発明の開示】
【発明が解決しようとする課題】
【０００４】
かみそりヘッドが全方位方向へ浮動可能に支持されている特許文献１の電気かみそりによれば、かみそりヘッドを肌面の変化に追随させながら傾動させて、ひげ切断を好適に行え、ひげ切断時の肌当りをソフトにできる。しかし、かみそりヘッドの傾動範囲が一定角度に限定されるので、例えばあご下面の肌面のひげを剃るような場合に、顎骨が邪魔になってかみそりヘッドを肌面に密着できないことがある。こうした場合には、手の握り位置や姿勢を変更して、本体ケースの向きや姿勢を変更する必要がある。
【０００５】
本発明の目的は、かみそりヘッドが浮動可能に支持してある電気かみそりに比べて、本体ケースに対するかみそりヘッドの変位の自由度をさらに向上して、より好適なひげ切断を行える電気かみそりを提供することにある。
【課題を解決するための手段】
【０００６】
本発明の電気かみそりは、本体ケース１の上部にかみそりヘッド２が設けてあって、かみそりヘッド２が、本体ケース１とかみそりヘッド２との間に設けた旋回構造３３で縦軸まわりに旋回変位可能に支持されていることを特徴とする。
【０００７】
具体的には、本体ケース１とかみそりヘッド２との間に、旋回構造３３を含むヘッド支持構造を設け、その旋回構造３３は、旋回変位したかみそりヘッド２を旋回待機位置へ復帰操作する戻しばね３７を含むものになっている。
【０００８】
ヘッド支持構造は、旋回構造３３と、かみそりヘッド２を浮動可能に支持する浮動構造３４とで構成する。そのうえで、かみそりヘッド２は、浮動構造３４で前後方向、左右方向、上下方向のうち、少なくとも左右方向へ傾動可能に支持する。
【０００９】
かみそりヘッド２とヘッド支持構造との間には、かみそりヘッド２を浮動自在に支持する浮動構造３４を設け、浮動構造３４と本体ケース１との間に旋回構造３３を設けることができる。
【００１０】
本体ケース１側に形成される区室１０と旋回構造３３との間には、旋回変位したかみそりヘッド２を旋回待機位置へ復帰操作する戻しばね３７を配置する。
【００１１】
旋回構造３３には、かみそりヘッド２を所定の旋回角度ごとに位置保持する節動機構５９を設けることができる。
【００１２】
その節動機構５９は、かみそりヘッド２を所定の旋回角度ごとに位置保持するばね６１と、かみそりヘッド２が旋回変位するとき、ばね６１を変形操作する節動体６２とを含み、かみそりヘッド２が所定の旋回角度の２分の１だけ旋回変位した状態において、節動体６２とばね６１のデッドポイントとが外接し、節動体６２とばね６１との外接位置がデッドポイントから外れた状態において、節動体６２とばね６１とが旋回方向の前後いずれかへ相対変位操作されるようにすることができる。
【００１３】
前記旋回構造３３としては、本体ケース１側に形成される区室１０に設けた旋回軸３６と、旋回軸３６で回転自在に支持される旋回台３５と、旋回台３５と区室１０との間に掛け止めた引張りコイル形の戻しばね３７とを含み、旋回台３５の上部に浮動構造３４を組み付け、浮動構造３４でかみそりヘッド２を左右傾動自在に浮動支持することができる。
【発明の効果】
【００１４】
本発明の電気かみそりは、本体ケース１の上部に設けたかみそりヘッド２を、両者１・２間に設けた旋回構造３３で縦軸まわりに旋回変位可能に支持するので、かみそりヘッドが各種の浮動可能で支持してある従来の電気かみそりとは異なり、かみそりヘッド２を縦軸まわりに大きく旋回変位させながら、肌面の変化に無理なく追随させることができる。例えば、あご下面の肌面のひげを剃るような場合に、かみそりヘッド２を顎骨に沿って無理なく旋回変位させることにより、肌面に密着させて好適にひげ切断を行える。かみそりヘッド２自体は旋回変位することで肌面に密着するので、手の握り位置や姿勢を頻繁に変更して、本体ケース１の向きや姿勢を変更する必要がなく、ひげ切断が簡便かつ迅速に行える。
【００１５】
かみそりヘッド２を旋回待機位置へ復帰操作するための戻しばね３７を含む旋回構造３３によれば、肌面から離れるのと同時にかみそりヘッド２をばね３７で旋回待機位置へ復帰させて、通常姿勢に戻すことができる。したがって、かみそりヘッド２を旋回変位させる必要がある部位と、その必要がない部位、たとえば口回りやもみあげ部分でのひげ切断が迅速に行える。旋回変位したかみそりヘッド２の姿勢を、手で操作して旋回待機位置へ戻す場合には煩わしさを免れないが、こうした煩わしさを伴わない点で使い勝手がよい。
【００１６】
旋回構造３３に加えて、浮動構造３４が付加されたヘッド支持構造によれば、旋回構造３３による旋回動作と、浮動構造３４による浮動動作とを同時に発揮して、かみそりヘッド２の本体ケース１に対する変位の自由度が大幅に向上する。したがって、かみそりヘッド２を肌面の変化に適確に追随させて好適なひげ切断を行え、肌面に対するかみそりヘッド２の肌当りをソフトなものになる。
【００１７】
浮動構造３４が、前後方向、左右方向、上下方向のうち、少なくとも左右方向へ傾動可能に構成してある電気かみそりによれば、かみそりヘッド２の左右傾動動作と、旋回構造３３による旋回動作とを同時に発揮して、肌面に対するかみそりヘッド２の追随動作を円滑なものにできる。例えば、前後方向への傾動、または上下方向への傾動と、旋回動作とを同時に発揮させる場合に比べて、かみそりヘッド２の姿勢を大きく、しかも速やかに変化させながら、その切断表面を肌面に密着できるからである。
【００１８】
本体ケース１側に旋回構造３３を設け、かみそりヘッド２側に設けた浮動構造３４を旋回構造３３で旋回自在に支持したヘッド支持構造によれば、本体ケース１から離れた部分でかみそりヘッド２を浮動支持できるので、かみそりヘッド２の傾動範囲を拡大できる。とくに、かみそりヘッド２の左右方向の傾動角度を大きく設定して、肌面の変化に対する追随動作を円滑化できる。
【００１９】
本体ケース１側に形成される区室１０と旋回構造３３との間に配置した戻しばね３７で、かみそりヘッド２を旋回位置から旋回待機位置へ復帰操作できるようにすると、戻しばね３７が他の部位に設けてある場合に比べて、旋回構造３３の組み立て、とくに戻しばね３７の組み付けが簡便に行える。かみそりヘッド２の下面と区室１０の上面との間をシールするパッキン５５によって、旋回構造３３の周囲外面を覆い隠して、電気かみそりの外観の印象を簡素ですっきりとしたものにできる利点もある。
【００２０】
旋回構造３３に設けた節動機構５９で、かみそりヘッド２を所定の旋回角度ごとに位置保持できるようにしたヘッド支持構造によれば、予め、かみそりヘッド２を所定の旋回角度に変位操作して使用できるのはもちろんのこと、肌面からの反力によってかみそりヘッド２を旋回させて肌面に追随させることができる。使用時のかみそりヘッド２の姿勢を使用者の好みで選定できるので、特定の肌部位のひげ切断を行うときでも、その都度、本体ケース１の握り方や姿勢を変更する必要がなく、その分だけ電気かみそりの使い勝手が向上する。
【００２１】
かみそりヘッド２を位置保持するばね６１と、かみそりヘッド２の旋回変位に伴ってばね６１を変形操作する節動体６２などで節動機構５９が構成されていると、肌面からの反力によってかみそりヘッド２を旋回方向前後に旋回させて、肌面に追随変位させることができるうえ、肌面から離れるのと同時にかみそりヘッド２をばね６１のばね弾性によって、デッドポイントより手前側の元の旋回位置へ戻し、あるいはデッドポイントを超えた側の旋回位置へと変位操作できる。
【００２２】
本体ケース１側の区室１０に設けた旋回軸３６と、旋回軸３６で回転自在に支持される旋回台３５と、旋回台３５と区室１０との間に掛け止めた引張りコイル形の戻しばね３７などで旋回構造３３を構成し、旋回台３５の上部に組み付けた浮動構造３４でかみそりヘッド２を左右傾動自在に浮動支持するヘッド支持構造によれば、動きの自由度が旋回方向に限られた旋回構造３３で、動きの自由度が高い浮動構造３４を支持することになるので、かみそりヘッド２の浮動動作を円滑化しながら、ヘッド支持構造が不必要にふらつくのを防止でき、したがってひげ切断を適確に行える。
【発明を実施するための最良の形態】
【００２３】
（実施例１）  図１ないし図５は本発明に係る電気かみそりの実施例１を示す。図２において電気かみそりは、本体ケース１と、その上部に設けられるかみそりヘッド２と、本体ケース１とかみそりヘッド２との間に設けられるヘッド支持構造と、本体ケース１の内部に収容される電装品ユニットとを含む。本体ケース１の前面には、モーター起動用のスイッチボタン４や、モーターの運転状態を切換えるセレクトボタン５と、各種の表示灯などが設けてある。
【００２４】
電装品ユニットは、フレーム７と、その前面および後面に配置される回路基板８、および左右一対の２次電池９などからなる。回路基板８には、先のスイッチボタン４やセレクトボタン５で切換え操作されるスイッチ類やＬＥＤなどを実装してある。電装品ユニットは、上面のみが開口する本体ケース１に収容されて、ケース底面側からねじ込まれるビスで締結固定されている。フレーム７の上部には、後述する旋回構造３３を組み付けるための区室１０が形成されている（図３参照）。
【００２５】
かみそりヘッド２は、ヘッドケース１１と、ヘッドケース１１に組み込まれる内刃１２、外刃１３および外刃ホルダー１４と、内刃駆動用のモーター１５と、モーター動力を内刃１２に伝動するギヤ機構と、モーター１５を収容するハウジング１６と、ヘッドケース１１の下半部外面を前後から覆う化粧ケース１７などで構成されている。
【００２６】
ヘッドケース１１は、前後に分割される半円筒状の前ハーフ１１ａと後ハーフ１１ｂとを蓋合わせ状に結合して構成する。前ハーフ１１ａおよび後ハーフ１１ｂの外面の左右中央には、後述する浮動構造の傾動軸１８が突設している。
【００２７】
内刃１２はロータリー刃からなり、その両端の軸部分が内刃支持台２０で回転自在に軸支してある。網刃で形成した外刃１３は、外刃ホルダー１４でアーチ状に保形支持される。外刃ホルダー１４は、ヘッドケース１１の上部に設けた装着座（図３参照）２１に着脱可能に装着されて、両者１１・１４間に設けたロック構造によって分離不能にロック保持されている。
【００２８】
かみそりヘッド２を水洗い可能とするために、モーター１５はハウジング１６内に収容して水密状に密封してある。図４においてハウジング１６は、筒状の主ケース１６ａと、主ケース１６ａの筒開口を塞ぐ蓋体１６ｂとで構成してあり、主ケース１６ａの側端外面にモーター１５の出力軸２２が突出している。ハウジング１６の上面左右には、内刃ブラケット２３を形成してあり、これら両内刃ブラケット２３・２３の上面に内刃支持台２０を固定してある。符号２４は、主ケース１６ａの開口と出力軸２２との間を封止するパッキン、２５は主ケース１６ａと蓋体１６ｂとの接合隙間を封止するパッキンである。
【００２９】
モーター１５が収容されたハウジング１６は、前ハーフ１１ａと後ハーフ１１ｂとで前後に挟み、両ハーフ１１ａ・１１ｂの接合縁を互いに係合し、さらに上側接合面の左右を一対のビス３０で締結することにより、ハウジング１６とヘッドケース１１とを一体化する。モーター１５と電装品ユニットとを接続する給電リード２６は、図３に示すように主ケース１６ａの下面中央から導出するが、そのための導出口はパッキン２７でシールしてある。
【００３０】
図４においてギヤ機構は、出力軸２２に固定した原動ギヤ２８と、内刃１２の軸端に固定した終段ギヤ２９と、両ギヤ２８・２９間に配置される中間ギヤ群とで構成する。モーター１５の回転動力は、中間ギヤ群によって減速された状態で終段ギヤ２９に伝動される。これらのギヤ群の外側方はカバーで覆われている。
【００３１】
本体ケース１に対するかみそりヘッド２のより自由な変位を実現するために、本体ケース１とかみそりヘッド２との間にはヘッド支持構造を有する。そのヘッド支持構造は、かみそりヘッド２を旋回変位可能に支持する旋回構造３３と、かみそりヘッド２を左右傾動可能に、かつ上下動可能に浮動支持する浮動構造３４とを含む。
【００３２】
旋回構造３３は、旋回台３５と、旋回台３５を縦軸まわりに回転自在に軸支する旋回軸３６と、旋回変位した旋回台３５を旋回待機位置へ復帰操作する戻しばね３７とを有する。旋回軸３６は区室１０の底壁上面に丸筒状に突設する。旋回台３５は、平板状の連結板４１の下面中央に筒軸４２と、先の旋回軸３６に外嵌する丸筒状の連結ボス４３とを同心状に突設したプラスチック成形品である。連結板４１と区室１０との間には、旋回台３５を押し上げ付勢する圧縮コイルばねからなる浮動ばね３８が配置してある。
【００３３】
図５において浮動ばね３８で押し上げ付勢した旋回台３５が、旋回軸３６から分離するのを防ぐために、旋回軸３６の周面には抜止め溝４４を凹み形成し、連結ボス４３の筒壁の対向面にピン４５を打ち込み、その内端を抜止め溝４４に係合している。これにより、旋回台３５は旋回軸３６まわりに旋回変位できながら、同時に上下浮動できる状態で抜け止めされている。戻しばね３７は引張りコイルばねからなり、ピン４５の外端と、前記区室１０の内面に設けた突起４６とに掛け止め装着されており、常態において旋回台３５を旋回待機位置に位置保持する。なお、旋回待機位置におけるかみそりヘッド２の長手方向軸（左右方向軸）と、本体ケース１の長手方向軸（左右方向軸）とは、図１に示すように一致している。
【００３４】
上記構成の旋回構造３３によれば、図５の想像線で示すように、かみそりヘッド２を旋回待機位置から約６０度の範囲で、前方または後方へ旋回軸３６の回りに旋回させることができ、外力が開放された状態では、かみそりヘッド２を戻しばね３７で旋回待機位置へ復帰操作することができる。かみそりヘッド２の旋回限界は、ピン４５を抜止め溝４４の溝端で受け止めることにより規定する。なお、給電リード２８は、筒軸４２と区室１０を介して電装品ユニットに接続されており、図１に示すごとく区室１０の底壁に設けた給電リード２８用の通口はパッキン３９で封止してある。
【００３５】
浮動構造３１は、旋回台３５の上面に固定される台形の浮動台４８と、浮動台４８の上面に固定した前後一対の軸受ブラケット４９と、ヘッドケース１１の前後面に突設した傾動軸１８と、かみそりヘッド２を水平の中立位置へ復帰付勢する第２戻しばね５０とを有する。浮動ばね３８は、かみそりヘッド２を上下浮動可能に支持するので、浮動構造３１の一部を構成する。符号５５はかみそりヘッド２と本体ケース１との間をシールするパッキンである。
【００３６】
浮動台４８はプラスチック成形品である。前後一対の軸受ブラケット４９はステンレス板材を用いたＬ字状のプレス金具からなり、その垂直の板面上部に傾斜軸１８を軸支するための連結穴５１が通設されている（図１参照）。第２戻しばね５０は圧縮コイルばねからなり、浮動台４８の上面中央と、ヘッドケース１１の下面中央との間に配置されて、左右傾動したかみそりヘッド２を水平の待機姿勢に復帰操作する。
【００３７】
連結穴５１に傾動軸１８を係合し、浮動台４８とヘッドケース１１との間に第２戻しばね５０を配置したうえで、軸受ブラケット４９を浮動台４８にビス５２（図３参照）で締結固定することにより、かみそりヘッド２は浮動構造３１で左右傾動可能に浮動支持できる。この後に、前後一対の化粧ケース１７をヘッドケース１１に係合装着して、軸受ブラケット４９の外面を化粧ケース１７で覆い隠す。
【００３８】
図１に示すように、浮動台４８を旋回台３５にビス５３締結固定したうえで、旋回台３５を旋回軸３６に組み付け、ピン４５および突起４６に戻しばね３７を掛け止め、パッキン５５の下周縁を区室１０の開口に被せ付けることにより、かみそりヘッド２と電装品ユニットとを一体化できる。この状態の電装品ユニットを本体ケース１内に装填し締結固定することにより、かみそりヘッド２を本体ケース１と一体化する。
【００３９】
かみそりヘッド２を本体ケース１と一体化した状態におけるかみそりヘッド２の全体の重心Ｇは、図１に示すように、傾動軸１８の中心よりやや下方にある。そのため、かみそりヘッド２が傾動軸１８を中心にして左右いずれかへ傾動したとしても、重心Ｇに作用するモーメントの作用でかみそりヘッド２を水平の中立位置へ向かって自律的に復帰させることができる。もちろん、かみそりヘッド２は第２戻しばね５０によって中立位置へ向かって復帰操作される。
【００４０】
以上のように、かみそりヘッド２を浮動構造３４および旋回構造３３で支持してあると、かみそりヘッド２を肌面の変化に追随させながら浮動変位させながら、同時に縦軸まわりに旋回変位させることができるので、例えば、あごの下面側肌面のひげを剃る場合でも、かみそりヘッド２を顎骨に沿わせて肌面に密着させて、好適にひげ切断を行える。かみそりヘッド２は、顎骨や肌面の押し付け半力を受けて自律的に変位するので、本体ケース１を握る手の握り位置や姿勢を変更する必要がなく、従来の電気かみそりに比べてより簡便に、しかも迅速にひげ切断を行える。
【００４１】
（実施例２）  図６ないし図９は、ヘッド支持構造に関する本発明の実施例２を示す。そこでは、かみそりヘッド２とヘッド支持構造との間に旋回構造３３を配置し、旋回構造３３とフレーム７との間に浮動構造３４を配置してある。さらに、旋回構造３３に節動機構５９を付加して、かみそりヘッド２を所定の旋回角度ごとに位置保持できるようにしてある。
【００４２】
旋回構造３３は、ヘッドケース１１の下面に一体的に形成した旋回台３５と、旋回台３５を回転自在に軸支する旋回軸３６とからなる。旋回台３５の下面中央には、内連結ボス６０と、外連結ボス６３とが同心状に突設してある。旋回軸３６は、浮動台４８の上面に突設されて、内連結ボス６０を回転自在に軸支する。旋回軸３６と内連結ボス６０とは、内連結ボス６０に装着した止め輪６４で抜け止めが図られている。外連結ボス６３は、僅かな隙間を介して旋回軸３６に外嵌している。この旋回構造によれば、かみそりヘッド２を旋回待機位置から、前方または後方へ旋回軸３６の回りに全旋回（３６０度旋回）させることができる。
【００４３】
図８において節動機構５９は、外面が断面四角形状の旋回軸３６と、断面四角筒状の外連結ボス６３との間に設ける。すなわち、外連結ボス６３の内面のそれぞれに、内向きに突曲する板ばね（ばね）６１を筒壁内隅を跨ぐ状態で装着し、旋回軸３６の周面４箇所に、突端が丸められたリブ状の節動体６２を等間隔おきに形成して、これら両者６１・６２で節動機構５９を構成する。
【００４４】
常態における各節動体６２は、隣接する板ばね６１に挟まれた台形状のばね隙間にあって、隣接する板ばね６１が同時に外接している。この状態からかみそりヘッド２を旋回軸３６のまわりに旋回操作すると、板ばね６１が弾性変形しながら節動体６２を乗り越えて、新たなばね隙間が各節動体６２に外接する。つまり、かみそりヘッド２は、旋回方向前後いずれかの９０度、１８０度の位置において節動機構５９で位置保持される。
【００４５】
かみそりヘッド２の旋回角度が４５度あるいは１２５度のいずれかであるときは、板ばね６１の湾曲面中央のデッドポイントが節動体６２と接して、その位置を保持する。しかし、板ばね６１が旋回方向の前後いずれかへ僅かでも動くと、かみそりヘッド２は僅かに旋回した側へ変位操作されて、旋回待機位置、９０度位置、あるいは１８０度位置のいずれかに位置保持される。
【００４６】
上記のようにかみそりヘッド２の反転旋回を許すために、図６に示すように旋回台３５の内連結ボス６０の中央には導電プラグ８０を固定し、導電プラグ８０に外接する上下一対の接触端子８１・８２を浮動台４８に固定してある。図９において上下の接触端子８１・８２は、それぞれ断面コ字状に形成してあって、かみそりヘッド２とともに旋回する導電プラグ８０の周面に圧接している。このような構造を組み込む必要上、浮動台４８を上下の部品に分割して形成した。
【００４７】
実施例２における浮動構造３４は、浮動台４８と、フレーム７の区室１０の下方に設けた左右一対のガイド溝６５、および前後一対のガイド枠６６と、該区室１０の底壁と浮動台４８との間に配置した左右一対の浮動ばね６７などで構成する。浮動台４８の下面には、左右一対の脚片６８と、前後一対の脚片６９とを設けてあり、前者脚片６８をガイド溝６５で案内支持し、後者の脚片６９をガイド枠６６で案内支持することにより、かみそりヘッド２を前後、左右、上下と、全方位方向へ傾動可能に浮動支持した。
【００４８】
以上のように、かみそりヘッド２を節動機構５９で所定の旋回角度ごとに位置保持できるようにした実施例２のヘッド支持構造によれば、実施例１と同様に、かみそりヘッド２を肌面の変化に追随させながら浮動変位させ、同時に縦軸まわりに旋回変位させてひげを切断できるうえ、かみそりヘッド２を旋回待機位置から９０度位置、あるいは１８０度位置に位置保持した状態でひげ切断を行える。他は先の実施例１と同じであるので、同じ部材には同じ符号を付して、その説明を省略する。以下の実施例においても同じとする。
【００４９】
（実施例３）  図１０は、ヘッド支持構造に関する更に異なる実施例３を示す。そこでは、旋回台３５と浮動台４８とを上下に隣接配置し、浮動台４８に設けた旋回軸３６で旋回台３５を回転自在に支持した。さらに旋回台３５の上面前後に部分円弧状のガイド軸７２を固定して、かみそりヘッド２をガイド軸７２に沿って左右傾動できるようにした。
【００５０】
浮動台４８と区室１０の底壁との間には、浮動台４８を支持する４個の浮動ばね７３が配置され、旋回台３５の左右側面とフレーム７の区室１０の側壁との間に戻しばね７４が配置されている。浮動ばね７３は圧縮コイルばねからなり、ヘッド支持構造の全体を押し上げ付勢する、戻しばね７４は引張りコイルばねからなり、旋回変位した旋回台３５を旋回待機位置へ復帰操作する。
【００５１】
ヘッドケース１１の前後中央には、ガイド軸７２で移行案内される屈曲管状のスライド片７５を固定してある。スライド片７５の左右には、圧縮コイルばねからなる戻しばね７６が、ガイド軸７２に外嵌する状態で配置されている。このように、かみそりヘッド２をガイド軸７２で傾動案内し、戻しばね７６で水平の中立位置へ復帰付勢すると、肌面の変化に追随してかみそりヘッド２を傾動させ、同時に浮動台４８を全方位方向へ傾動させ、さらに旋回台３５を旋回変位させることができる。なお、この実施例３における浮動構造は、浮動台４８と、浮動ばね７３、およびガイド軸７２と、スライド片７５と、戻しばね７６などで構成されている。
【００５２】
（実施例４）  図１１は、ヘッド支持構造の更に別の実施例４を示す。そこでは、実施例３で説明したガイド軸７２を上下に反転して旋回台３５に固定し、ヘッドケース１１の前後面の左右に固定したスライド片７５を、ガイド軸７２で傾動案内するようにした。旋回台３５の前後中央には屈曲管状の軸受７７を設けてあり、この軸受７６でガイド軸７２を固定支持する。軸受７６と各スライド片７５との間には、圧縮コイルばねからなる戻しばね７６が、ガイド軸７２に外嵌する状態で配置してある。
【００５３】
上記の各実施例では、内刃１２がロータリー刃である場合について説明したが、本発明は、内刃１２が往復動する形態の電気かみそりにも適用できる。実施例１においては、旋回台３５の左右に戻しばね３７を配置したがその必要はなく、戻しばね３７は旋回台３５の周囲の任意位置に配置できる。
【００５４】
実施例２の節動機構５９の旋回角度は９０度である必要はなく、１５度、３０度、４５度、６０度など所定の旋回角度ごとに位置保持できればよい。また、旋回限度角度は１８０度から３６０度の範囲で自由に選定できる。
【図面の簡単な説明】
【００５５】
【図１】ヘッド支持構造を示す要部のみの断面図である。
【図２】電気かみそりの正面図である。
【図３】かみそりヘッドの縦断側面図である。
【図４】かみそりヘッドの縦断正面図である。
【図５】図１におけるＡ−Ａ線断面図である。
【図６】実施例２に係るヘッド支持構造を示す要部のみの断面図である。
【図７】実施例２に係るかみそりヘッドの縦断側面図である。
【図８】図６におけるＢ−Ｂ線断面図である。
【図９】図６におけるＣ−Ｃ線断面図である。
【図１０】実施例３のヘッド支持構造を示す要部の断面図である。
【図１１】実施例４のヘッド支持構造を示す要部の断面図である。
【符号の説明】
【００５６】
１  本体ケース
２  かみそりヘッド
３３  旋回構造
３４  浮動構造
３７  戻しばね
【図１】
2006255336.tif 000003
【図２】
2006255336.tif 000004
【図３】
2006255336.tif 000005
【図４】
2006255336.tif 000006
【図５】
2006255336.tif 000007
【図６】
2006255336.tif 000008
【図７】
2006255336.tif 000009
【図８】
2006255336.tif 000010
【図９】
2006255336.tif 000011
【図１０】
2006255336.tif 000012
【図１１】
2006255336.tif 000013